【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
射出シリンダーの先端に取り付けられ、前記射出シリンダーの内部にチャージされた樹脂が射出スクリューにより樹脂路を通って射出される射出ノズルと、
射出ノズルに取り付けられ、前記樹脂路を遮断自在な遮断手段と、
前記遮断手段よりも射出先端側の前記射出ノズルに形成され、前記樹脂路に連通して樹脂が流入自在とされる保圧路と、
前記保圧路に往復移動自在に配され、押圧力が付与されることにより、前記保圧路の内部の樹脂を前記樹脂路側に押圧すると共に、押圧力が解放された際に、前記保圧路に流入した樹脂により反押圧方向に移動する保圧手段とを備え、
前記射出ノズルの前記樹脂路の保圧を行う際には、
前記遮断手段による前記樹脂路の遮断を解放して前記射出スクリューの加圧により前記樹脂路及び前記保圧路の樹脂を保圧し、
その後、前記遮断手段により前記樹脂路を遮断して前記保圧手段に押圧力を付与し、前記保圧手段により前記樹脂路及び前記保圧路への樹脂の保圧を継続し、
更に、前記遮断手段による前記樹脂路の遮断を解放すると共に前記保圧手段により前記保圧路の内部の樹脂の全てを前記樹脂路に排出させる
ことを特徴とする射出装置。
【請求項２】
請求項１に記載の射出装置において、
前記保圧手段は、押圧力が付与されることにより、先端部位が前記樹脂路の内部に突出するようにされ、
前記保圧手段の先端部位を前記樹脂路の内部に突出させることにより、前記保圧路の内部の樹脂の全てを前記樹脂路に排出させる
ことを特徴とする射出装置。
【請求項３】
請求項１もしくは請求項２に記載の射出装置において、
前記射出ノズルの前記樹脂路の保圧を行う際に、前記遮断手段により前記樹脂路を遮断して前記樹脂路及び前記保圧路へ樹脂の保持を継続した後、前記樹脂路を遮断した状態で前記保圧手段に押圧力を付与して保圧を行い、金型側の樹脂の流入路を遮断すると共に前記保圧手段の押圧力を一旦解除し、その後に、前記樹脂路の遮断を解放して前記保圧手段に押圧力を再度付与して前記保圧路の樹脂の全てを前記樹脂路に排出させる
ことを特徴とする射出装置。
【請求項４】
請求項１から請求項３のいずれか一項に記載の射出装置において、
前記射出スクリューの加圧により前記樹脂路及び前記保圧路の樹脂を保圧した後に、前記遮断手段により前記樹脂路を遮断した際に、前記射出スクリューを逆方向に回転動作させて前記射出シリンダーの内部に樹脂をチャージする
ことを特徴とする射出装置。
【請求項５】
樹脂路を通して射出ノズルから樹脂を射出すると共に、前記樹脂路に連通する保圧路に樹脂を流入させて前記樹脂路及び前記保圧路の内部の樹脂の保圧を行うに際し、
前記樹脂路の樹脂を加圧することにより前記樹脂路及び前記保圧路に樹脂を保圧し、その後、前記樹脂路を遮断して前記保圧路を加圧することで前記樹脂路及び前記保圧路の保圧を行い、更に、前記樹脂路の遮断を解放して前記保圧路に保持された樹脂の全てを前記樹脂路に押圧して排出させる
ことを特徴とする樹脂の射出方法。
【請求項６】
請求項５に記載の樹脂の射出方法において、
前記遮断手段により前記樹脂路を遮断して前記保圧路の加圧で前記樹脂路及び前記保圧路への樹脂の保圧を行い、金型側の樹脂の流入路を遮断すると共に前記保圧路の加圧を一旦解除し、その後、前記樹脂路の遮断を解放して前記保圧路を再度加圧して前記保圧路の樹脂の全てを前記樹脂路に排出させる
ことを特徴とする樹脂の射出方法。
【手続補正２】
【補正対象書類名】明細書
【補正対象項目名】０００５
【補正方法】変更
【補正の内容】
【０００５】
射出工程及び保圧工程が完了し、次のサイクルの射出工程に入る間に、成形品の冷却、型開き、成形品の取り出し、型締めが実行され、その間に計量工程が実施されている。成形サイクルを短時間で的確に実施するため、保圧工程では、専用のプランジャー等により樹脂路を閉じて樹脂材料の圧力を維持し、その間に射出スクリューを後退させて新たな樹脂材料を射出シリンダー内に供給している。
【手続補正３】
【補正対象書類名】明細書
【補正対象項目名】０００６
【補正方法】変更
【補正の内容】
【０００６】
従来から知られている射出装置では、樹脂材料の圧力を維持する場合に、樹脂路を保圧機構で加圧しているため、樹脂材料の保圧工程では、保圧機構の樹脂充填部位に樹脂が流入している（保圧機構と樹脂が接触している）状態になっている。保圧機構（充填部位）に流入している樹脂が残留すると、焼け等の様々な不具合を誘発するため、保圧機構に流入した樹脂を樹脂路に排出して滞留をなくす必要がある。
【手続補正４】
【補正対象書類名】明細書
【補正対象項目名】０００７
【補正方法】変更
【補正の内容】
【０００７】
このため、保圧機構を備えた射出機の分野では、機器を大型化したり複雑化することなく、保圧用の樹脂を確実に射出用の樹脂路に排出させることが検討されているのが現状である。特に、小型の射出機の分野では、装置が小さいために設置スペースにも限りがあり、複雑な機構を採用することはできないのが現状である。
【手続補正５】
【補正対象書類名】明細書
【補正対象項目名】００１０
【補正方法】変更
【補正の内容】
【００１０】
上記目的を達成するための請求項１に係る本発明の射出装置は、射出シリンダーの先端に取り付けられ、前記射出シリンダーの内部にチャージされた樹脂が射出スクリューにより樹脂路を通って射出される射出ノズルと、射出ノズルに取り付けられ、前記樹脂路を遮断自在な遮断手段と、前記遮断手段よりも射出先端側の前記射出ノズルに形成され、前記樹脂路に連通して樹脂が流入自在とされる保圧路と、前記保圧路に往復移動自在に配され、押圧力が付与されることにより、前記保圧路の内部の樹脂を前記樹脂路側に押圧すると共に、押圧力が解放された際に、前記保圧路に流入した樹脂により反押圧方向に移動する保圧手段とを備え、前記射出ノズルの前記樹脂路の保圧を行う際には、前記遮断手段による前記樹脂路の遮断を解放して前記射出スクリューの加圧により前記樹脂路及び前記保圧路の樹脂を保圧し、その後、前記遮断手段により前記樹脂路を遮断して前記保圧手段に押圧力を付与し、前記保圧手段により前記樹脂路及び前記保圧路への樹脂の保圧を継続し、更に、前記遮断手段による前記樹脂路の遮断を解放すると共に前記保圧手段により前記保圧路の内部の樹脂の全てを前記樹脂路に排出させることを特徴とする。
【手続補正６】
【補正対象書類名】明細書
【補正対象項目名】００１１
【補正方法】変更
【補正の内容】
【００１１】
請求項１に係る本発明では、樹脂路の遮断を解放して射出スクリューの加圧により樹脂路及び保圧路の樹脂を保圧し、次いで、遮断手段により樹脂路を遮断して保圧手段により樹脂路及び保圧路の樹脂を保圧し、更に、遮断手段による樹脂路の遮断を解放した状態で、保圧路の内部の樹脂の全てを樹脂路に排出させるため、保圧を行う間に射出シリンダーへの樹脂のチャージを可能にした状態で、遮断手段よりも射出スクリュー側に対しても樹脂を保持させて樹脂の残留をなくすことができる。このため、大掛かりな機構を用いることなく、保圧機構に対する樹脂の滞留を確実になくすことが可能になる。
【手続補正７】
【補正対象書類名】明細書
【補正対象項目名】００１２
【補正方法】変更
【補正の内容】
【００１２】
また、遮断手段により樹脂路を遮断して保圧手段により樹脂路及び保圧路の樹脂を保圧した時に、射出シリンダーへの樹脂のチャージを開始することができるため、チャージの時間を充分に確保することができる。このため、射出スクリューの回転速度を低下させることができると共に、温度設定を行うバレルを低温化することができ、アセトアルデヒドの発生を低減させることができる。
【手続補正８】
【補正対象書類名】明細書
【補正対象項目名】００１３
【補正方法】変更
【補正の内容】
【００１３】
そして、請求項２に係る本発明の射出装置は、請求項１に記載の射出装置において、前記保圧手段は、押圧力が付与されることにより、先端部位が前記樹脂路の内部に突出するようにされ、前記保圧手段の先端部位を前記樹脂路の内部に突出させることにより、前記保圧路の内部の樹脂の全てを前記樹脂路に排出させることを特徴とする。
【手続補正９】
【補正対象書類名】明細書
【補正対象項目名】００１４
【補正方法】変更
【補正の内容】
【００１４】
請求項２に係る本発明では、保圧手段の先端部位を樹脂路の内部に突出させることにより、保圧路の内部の樹脂の全てを樹脂路に排出させるので、極めて簡単な構造で確実に保圧路の樹脂を樹脂路に排出させることができる。
【手続補正１０】
【補正対象書類名】明細書
【補正対象項目名】００１５
【補正方法】変更
【補正の内容】
【００１５】
また、請求項３に係る本発明の射出装置は、請求項１もしくは請求項２に記載の射出装置において、前記射出ノズルの前記樹脂路の保圧を行う際に、前記遮断手段により前記樹脂路を遮断して前記樹脂路及び前記保圧路へ樹脂の保持を継続した後、前記樹脂路を遮断した状態で前記保圧手段に押圧力を付与して保圧を行い、金型側の樹脂の流入路を遮断すると共に前記保圧手段の押圧力を一旦解除し、その後に、前記樹脂路の遮断を解放して前記保圧手段に押圧力を再度付与して前記保圧路の樹脂の全てを前記樹脂路に排出させることを特徴とする。
【手続補正１１】
【補正対象書類名】明細書
【補正対象項目名】００１６
【補正方法】変更
【補正の内容】
【００１６】
請求項３に係る本発明では、金型側の樹脂の流入路を遮断すると共に保圧手段の押圧力を一旦解除し（減圧し）、その後に、樹脂路の遮断を解放して保圧手段に押圧力を再度付与して保圧路の樹脂の全てを樹脂路に排出させるので、成形品を金型から外す時を含めて溶融樹脂を最適な状態に維持することができる。
【手続補正１２】
【補正対象書類名】明細書
【補正対象項目名】００１７
【補正方法】変更
【補正の内容】
【００１７】
また、請求項４に係る本発明の射出装置は、請求項１から請求項３のいずれか一項に記載の射出装置において、前記射出スクリューの加圧により前記樹脂路及び前記保圧路の樹脂を保圧した後に、前記遮断手段により前記樹脂路を遮断した際に、前記射出スクリューを逆方向に回転動作させて前記射出シリンダーの内部に樹脂をチャージすることを特徴とする。
【手続補正１３】
【補正対象書類名】明細書
【補正対象項目名】００１９
【補正方法】変更
【補正の内容】
【００１９】
上記目的を達成するための請求項５に係る本発明の樹脂の射出方法は、樹脂路を通して射出ノズルから樹脂を射出すると共に、前記樹脂路に連通する保圧路に樹脂を流入させて前記樹脂路及び前記保圧路の内部の樹脂の保圧を行うに際し、前記樹脂路の樹脂を加圧することにより前記樹脂路及び前記保圧路の樹脂を保圧し、その後、前記樹脂路を遮断して前記保圧路を加圧することで前記樹脂路及び前記保圧路の保圧を行い、更に、前記樹脂路の遮断を解放して前記保圧路に保持された樹脂の全てを前記樹脂路に押圧して排出させることを特徴とする。
【手続補正１４】
【補正対象書類名】明細書
【補正対象項目名】００２１
【補正方法】変更
【補正の内容】
【００２１】
そして、請求項６に係る本発明の樹脂の射出方法は、請求項５に記載の樹脂の射出方法において、前記遮断手段により前記樹脂路を遮断して前記保圧路の加圧で前記樹脂路及び前記保圧路への樹脂の保圧を行い、金型側の樹脂の流入路を遮断すると共に前記保圧路の加圧を一旦解除し、その後、前記樹脂路の遮断を解放して前記保圧路を再度加圧して前記保圧路の樹脂の全てを前記樹脂路に排出させることを特徴とする。
【手続補正１５】
【補正対象書類名】明細書
【補正対象項目名】００４４
【補正方法】変更
【補正の内容】
【００４４】
図３（ｃ）に示すように、樹脂路６の樹脂が保圧路９に流入して保圧プランジャー２２が更に押し戻され（チャージ）、金型の内部に樹脂が充填されて射出が終了する。金型の内部に樹脂が充填された後、射出用シリンダー５の駆動位置（加圧状態）が所定時間維持され、射出スクリュー２の加圧により樹脂路６及び保圧路９の樹脂が保圧される（一次保圧）。
【手続補正１６】
【補正対象書類名】明細書
【補正対象項目名】００４７
【補正方法】変更
【補正の内容】
【００４７】
図３（ｄ）に示すように、遮断駆動シリンダー１４の駆動により遮断プランジャー１２を前進状態（閉じ状態）にし、保圧駆動シリンダー２４により押圧力を付与して保圧プランジャー２２を加圧する。保圧プランジャー２２の押圧力により樹脂路６及び保圧路９の樹脂が保圧される（二次保圧）。遮断プランジャー１２により樹脂路６が閉じられて保圧プランジャー２２により樹脂路６及び保圧路９の樹脂が保圧されている間に、射出用シリンダー５が減圧されると共に射出スクリュー２が回転しながら後退し、次の射出のための樹脂のチャージ（計量）が即時に開始される。